(57)【要約】      （修正有）【課題】コンセントに差し込まれているプラグを容易に抜き取ることができるとともに、抜き取り方向が制限されることのないプラグの抜き取り装置を提供する。【解決手段】コンセントに差し込むプラグ端子１１を一体に固定した可動部材１２を有し、その可動部材１２を、プラグ端子１１の差し込み方向に直角な軸周りに回転可能に、装置本体１５に取り付け、さらに、可動部材１２の側方の端部に、抜き取りのための抜き取りレバー２０を、回転可能に取り付け、抜き取りレバー２０は、抜き取り操作をしないときは可動部材１２に埋没しており、抜き取り操作をしたときにはプラグ端子１１の間に突出して、装置本体５を押し出す作用をする。操作部１９は、可動部材１２の端部の、装置本体１５から離れた位置にあって、装置本体１５の方向へ押し込むことにより上記押し出し部１８による押し出し作用を行う構成を有する。【選択図】図１
0003119213.tif 000002
【実用新案登録請求の範囲】
【請求項１】
コンセントに差し込まれているプラグ端子を抜き取る装置であって、コンセントに差し込むプラグ端子を一体に固定した可動部材を有し、その可動部材を、プラグ端子の差し込み方向に直角な軸周りに回転可能に、装置本体に取り付け、さらに、可動部材の側方の端部に、抜き取りのための抜き取りレバーを、回転可能に取り付け、抜き取りレバーは、抜き取り操作をしないときは可動部材に埋没しており、抜き取り操作をしたときにはプラグ端子の間に突出して、装置本体を押し出す作用をする押し出し部と、抜き取りレバーを操作するために、抜き取りレバーの端部に設けた操作部とを有しており、操作部は、可動部材の端部の装置本体から離れた位置にあって、装置本体の方向へ押し込むことにより上記押し出し部による押し出し作用を行う構成を有するプラグを抜き取る装置。
【請求項２】
可動部材は、プラグ端子を装置本体の長手方向に向けた状態を取り、その状態において、可動部材の側方の端部は装置本体からほぼ直角の方向を向き、これと同方向にて押し出し部が埋没しているときに、操作部は装置本体から離れた配置を取り、装置本体の方向へ押し込むスペースが装置本体との間に形成される請求項１記載のプラグを抜き取る装置。
【請求項３】
抜き取り操作をしないときには可動部材に押し出し部を埋没させ、また、抜き取り操作をしたときにはプラグ端子の間に押し出し部を突出させて、装置本体を押し出す方向へ、抜き取りレバーを付勢するために、弾性部材を設けてなる請求項１記載のプラグを抜き取る装置。
【請求項４】
装置本体は、プラグ端子にコードを接続するためのコード接続部を有している請求項１記載のプラグの抜き取り装置。
【請求項５】
装置本体は、既存のプラグのプラグ端子に接続可能なメス端子を有している請求項１記載のプラグの抜き取り装置。
【考案の詳細な説明】
【技術分野】
【０００１】
本考案は、コンセントに差し込まれている、プラグ端子を抜き取るための装置に関するものである。
【背景技術】
【０００２】
例えば、実開昭５９−３６１８０号や、実開平２−１４３７８８号、特開平９−６３６９３号等には、コンセントに差し込まれているプラグの抜き取りを容易にするために、梃子作用を利用したレバーを設けたものが提案されている。これらのものは、支点周りに回転可能に設けたレバーの一端を力点とし、他端を作用点とする構成を有している。従って梃子作用により、コンセントに差し込まれているプラグを容易に抜き取ることができると考えられる。
【０００３】
しかしながらこれらのものは、プラグ端子の接続方向によってはあまり役立たないことがある。例えば、タップは兎も角としても、コンセントの差し込み口は、その周囲に常に十分な空間を確保しているとは限らず、差し込み方向が制限された場合には、レバー操作が制限されるからである。このような場合で、しかもレバーが大き過ぎると、却って接続の邪魔になることもあり得る。
【０００４】
【特許文献１】実開昭５９−３６１８０号
【特許文献２】実開平２−１４３７８８号
【特許文献３】特開平９−６３６９３号
【考案の開示】
【考案が解決しようとする課題】
【０００５】
本考案は以上の点に着目して成されたもので、その課題は、コンセントに差し込まれているプラグを容易に抜き取ることができるとともに、差し込み方向及び抜き取り方向が制限されないプラグの抜き取り装置を提供することである。また、本考案の他の課題は、既存のプラグに接続して同様の効果を得るプラグの抜き取り装置を提供することである。
【課題を解決するための手段】
【０００６】
前記の課題を解決するため本考案は、コンセントに差し込まれたプラグ端子を抜き取る装置であって、コンセントに差し込むプラグ端子を一体に固定した可動部材を有し、その可動部材を、プラグ端子の差し込み方向に直角な軸周りに回転可能に、装置本体に取り付け、さらに、可動部材の側方の端部に、抜き取りのための抜き取りレバーを、回転可能に取り付け、抜き取りレバーは、抜き取り操作をしないときは可動部材に埋没しており、抜き取り操作をしたときにはプラグ端子の間に突出して、装置本体を押し出す作用をする押し出し部と、抜き取りレバーを操作するために、抜き取りレバーの端部に設けた操作部とを有しており、操作部は、可動部材の端部の装置本体から離れた位置にあって、装置本体の方向へ押し込むことにより上記押し出し部による押し出し作用を行う構成を有するものとするという手段を講じたものである。
【０００７】
本考案の装置は、コンセントに差し込まれているプラグ端子を抜き取るためのものであり、そのために、梃子作用を利用する点では従来のものと同様であると考えて良い。梃子作用をつかさどるものは、本考案でも、抜き取りレバーである。しかし、本考案では、抜き取りレバーを直接装置本体に取り付けるものではなく、可動部材というものに取り付けている。可動部材は、プラグ端子の差し込み方向に直角な軸周りに回転可能に装置本体に取り付けられている。
【０００８】
つまり、装置本体に可動部材を取り付け、可動部材にプラグ端子と、抜き取りレバーとを取り付けているものである。このため、プラグ端子は、可動部材を回転させることで、装置本体に対して回転範囲内で自由な方向に向けることができ、抜き取りレバーを操作するスペースが不足する場合には、空間に余裕のある方向へ、抜き取りレバーが配置されるように、向きを調整することができる。
【０００９】
抜き取りレバーは、抜き取り操作をしないときは可動部材に埋没しており、抜き取り操作をしたときにはプラグ端子の間に突出して、装置本体を押し出す作用をする押し出し部と、抜き取りレバーを操作するために、抜き取りレバーの端部に設けた操作部とを有している。この、押し出し部と操作部とは一体の抜き取りレバーの一部として、操作と梃子作用とが、最も適切に行えるように、モーメントアームの長さや、操作に適した角度、方向を取るように、設計するものとする。
【００１０】
本考案における抜き取りレバーの操作のためには、操作部がある程度は、可動部材の端部の、装置本体から離れた位置にあって、装置本体の方向へ押し込むことにより上記押し出し部による押し出し作用を行うことが必要である。このためには、可動部材は、プラグ端子を装置本体の長手方向に向けた状態を取り、その状態において、可動部材の側方の端部は装置本体からほぼ直角の方向を向き、これと同方向にて押し出し部が埋没しているときに、操作部は装置本体から離れた配置を取り、装置本体の方向へ押し込むスペースが装置本体との間に形成されることが望ましい。
【００１１】
抜き取りレバーは、抜き取り操作をしないときには、可動部材に埋没した位置にあるものである。この位置に規定しておくために、抜き取り操作をしないときには可動部材に押し出し部を埋没させ、また、抜き取り操作をしたときにはプラグ端子の間に押し出し部を突出させて、装置本体を押し出す方向へ、抜き取りレバーを付勢する、弾性部材を設けることが望ましい。
【００１２】
本考案のプラグを抜き取る装置は、プラグを構成することができ、この場合、装置本体は、プラグ端子にコードを接続するためのコード接続部を有している。故にこのような本考案のプラグは、抜き差しが容易に行える。一方、本考案のプラグを抜き取る装置は、従来の抜き差しの容易ではないプラグにアダプターとして取り付けるものを構成することができる。この場合、装置本体は、既存のプラグのプラグ端子に接続可能なメス端子を有しているものとする。
【考案の効果】
【００１３】
本考案は以上の如く構成されかつ作用するものであるから、コンセントに差し込まれているプラグを容易に抜き取ることができるとともに、プラグ端子の方向を或る程度自由に変えることが可能であるから、差し込み方向及び抜き取り方向を制限されることが少なくなり、かつまた、新たなプラグとしてのみならず、従来のプラグに接続して同様の効果を得ることもできるものであり、実用上の効果は顕著である。
【考案を実施するための最良の形態】
【００１４】
以下図示の実施形態を参照して、本考案に係るプラグの抜き取り装置１０について、より詳細に説明する。図１及び図２は本考案の例１を示すもので、１１はプラグ端子、１２は可動部材であり、プラグ端子１１を一体に固定した構成を有している。例示のプラグ端子１１は、側面形状が長円形の可動部材１２の一端部の左右両側面に、長円の長軸方向に対して直交方向を向いている枢軸１３を用いて固定されており、枢軸１３の軸端は装置本体１５に設けられている軸受け部１４に配置され、軸受けされている。
【００１５】
軸受け部１４は、装置本体１５の先端部分に設けられた凹入部分１６の対向する左右両内側面に、設けられている。可動部材１２は、軸受け部１４に、比較的大きいトルクで、従ってきつめに取り付けられ、プラグ端子１１を装置本体１５の長手方向へ向けた図１に示す状態から、装置本体１５の長手方向に対してほぼ直交する方向へ向けた図２に示す状態を取るように、回転可能に設けられているものである。
【００１６】
可動部材１２は、抜き取りレバー２０を回転可能に取り付けるための凹み部１７を軸受け部１４とは反対側の他端部に有している。抜き取りレバー２０は、この凹み部１７に収まり、さらに先端の押し出し部１８も延長部分１７ａにすっぽりと収まるように、可動部材１２の他端部に回転可能に軸支され、それによって、抜き取りレバー２０の押し出し部１８が、抜き取り操作をしない状態では可動部材１２に埋没している状態に配置される。２１は他端部の軸穴、２２は支軸を示す。
【００１７】
抜き取りレバー２０は、可動部材１２の他端部に軸支されていることにより、プラグ端子１１を装置本体１５の長手方向に向けた状態において、可動部材１２の他端部は装置本体１５からほぼ直角の方向を向き、操作部１９が装置本体１５から離れた位置をとるように設けられている。このため、押し出し部１８と操作部１９とは、中心軸部２３にて少なくとも９０度、望ましくは１２０度程度の角度をなすように屈曲した形態を有している。
【００１８】
例１の場合、抜き取りレバー２０には、抜き取り操作をしないときには可動部材１２に押し出し部１８を埋没させ、また、抜き取り操作をしたときにはプラグ端子１１の間にて押し出し部１８を突出させて、装置本体１５をコンセント等から押し出す方向へ、抜き取りレバー２０を付勢するために、弾性部材２５を設けている。弾性部材２５の二つのばね端の一方は可動部材１２に設けたばね受けに、また、他方は抜き取りレバー２０に設けたばね受けに夫々掛け止められている。
【００１９】
２７、２７は接続金具であり、先端にてプラグ端子１１と接続し、基端部のコード取り付け部２８、２８にてコード２９と接続している。例１の場合、コード２９は、コード取り付け部２８、２８にかしめにより芯線を接続する構造である。このような例１の抜き取り装置１０は、図３及び図４に示してあるように、コード２９が、装置本体１５内の接続金具２７、２７に接続された上に、装置本体１５に取り付けられている構造を有する。
【００２０】
このような構成を有する例１の装置１０の作用を、図４Ｃを参照して説明する。プラグ端子１１をコンセントＣに差し込んだ状態では、抜き取りレバー２０の押し出し部１８はコンセント側に押されて、可動部材１２に埋没している。その後、抜き取りレバー２０の操作部１９を装置本体１５方向へ押しこんで、抜き取り操作をすることにより、押し出し部１８がプラグ端子１１の間に突出して、装置本体１５を押し出し、隙間Ｓが拡大することとなる。なお、図４Ｃでは、コンセントＣの方が動くように図示しているが、説明の便宜上のことで実際はプラグ本体１５が抜け出す。
【００２１】
さらに、本考案の例２を図５、図６を参照して説明する。例２は、装置本体３５が、既存のプラグのプラグ端子に接続可能なメス端子３４、３４を有している、プラグを抜き取る装置３０の例である。例２の装置３０は、既存のプラグ又は別のプラグに取り付け、抜き取りの容易化のために使用するもので、いわばアダプターとして機能する。例２の装置３０も、アダプターとして使われる点以外は例１のものと基本的に共通の構成を有するので、共通の点については図１、図２の符号を援用する。
【００２２】
即ち、例２の装置３０は、コンセントＣに差し込むプラグ端子３１を一体に固定した可動部材１２を有し、その可動部材１２を、プラグ端子３１の差し込み方向に直角な軸周りに回転可能に、装置本体３５に取り付け、さらに、可動部材１２の側方の他端部に、抜き取りのための抜き取りレバー２０を、回転可能に取り付け、抜き取りレバー２０は、抜き取り操作をしないときは可動部材１２に埋没しており、抜き取り操作をしたときにはプラグ端子３１の間に突出して、装置本体３５を押し出す作用をする押し出し部１８と、抜き取りレバー２０を操作するために、抜き取りレバー２０の端部に設けた操作部１９を有しており、操作部１９は、可動部材１２の他端部の、装置本体３５から離れた位置にあって、装置本体３５の方向へ押し込むことにより上記押し出し部１８による押し出し作用を行うという基本的構成を有している。
【００２３】
例２の装置３０の場合、既存のプラグ端子に接続可能なメス端子３４、３４を有しており、メス端子３４、３４は、先端にてプラグ端子３１、３１に接続しており、基端には既存のプラグ端子を接続するための接続部３２、３２を有しており、接続金具３７を兼ねている。また、既存のプラグ端子を差し込むために、装置本体３５の後端に接続口３３、３３が設けられている。
【００２４】
よって、例２の装置３０を使用するには、既存のプラグ或いは別のプラグのプラグ端子を、装置本体３５の後端に設けられている接続口３３、３３に差し込んで接続し、もとのプラグと一体のものとして取り扱い、そのプラグ端子３１、３１をコンセントＣに差し込んで使用する。コンセントＣに差し込んだプラグ端子３１、３１を抜き取る方法は、前記した例１のものにおけるのと全く同様である。従って、例２の装置３０を使用することにより、あらゆるプラグを、本考案により容易に抜き取ることができるものに変換できることになる。
【００２５】
このように本考案によれば、可動部材１２の他端部に抜き取りレバー２０を設けているので、操作部１９が装置本体１５…から十分に離れ、操作する力を入れ易くなる。また、装置本体１５…に対して、可動部材１２を回転させ、プラグ端子１１…の向きを自由に変更することができるので、コンセントＣに差し込んだプラグの周囲に十分なスペースがなくても、容易にプラグを外すことができる。
【図面の簡単な説明】
【００２６】
【図１】本考案に係るプラグを抜き取る装置の例１を示す斜視図。
【図２】図１のものの分解図。
【図３】本考案の例１を示すもので、Ａは後面図、Ｂは上面図、Ｃは正面図。
【図４】同じく例１を示すもので、Ａは斜視図、Ｂは内部説明図、Ｃは作用説明図。
【図５】本考案の例２を示す斜視図。
【図６】同じく例２を示す内部説明図。
【符号の説明】
【００２７】
１０、３０  本考案のプラグを抜き取る装置
１１、３１  プラグ端子
１２  可動部材
１３  枢軸
１４  軸受け部１５
１５、３５  装置本体
１６  凹入部分
１７  凹み部
１８  押し出し部
１９  操作部
２０  抜き取りレバー
２１  軸穴
２２  支軸
２３  中心軸部
２５  弾性部材
２７、３７  接続金具
３２  接続部
３３  接続口
３４  メス端子
Ｃ  コンセント
Ｓ  隙間
【図１】
0003119213.tif 000003
【図２】
0003119213.tif 000004
【図３】
0003119213.tif 000005
【図４】
0003119213.tif 000006
【図５】
0003119213.tif 000007
【図６】
0003119213.tif 000008